(57)【要約】      （修正有）【課題】ダークマターが宇宙成分の23％を、ダークエネルギーが約73％を占めていると推測される事の解明。【解決手段】宇宙の内側の軌道エネルギーは宇宙の中心のブラックホールによって作られる。宇宙の外側の軌道エネルギーは、遠心力により、端の方に移動したダークマターにより作られる。宇宙の中心のブラックホールが作る、136億光年の軌道の軌道エネルギーは、宇宙の軌道エネルギー＝4.827×1027JKm÷距離＝3.752×104J、です。宇宙の外側の軌道エネルギーは、この73％÷23％＝3.174倍ですから、3.752×104J×3.174＝1.191×105Jです。外側の軌道エネルギーを作るダークマターの数は、ダークマターの数＝1.191×105J÷ダークマター1個のエネルギー＝1.191×105J÷(4.468×10-21J)＝2.666×1025(個)です。【選択図】図１
2019033606.tif 000002
【特許請求の範囲】
【請求項１】
宇宙のダークマターの様子。
宇宙のダークマターの様子は2012年10月15日に提出した、特願2012-227767．「ダークマター２」の表3に記した。
宇宙のダークマターの様子の推移を表に示す。この表は2012年10月15日に提出した、特願2012-227767．「ダークマター２」の表3に記した。
表３
2019033606.tif 000006
2019033606.tif 000007
10-16m時代はブラックホールの時代であり、この以前の様子は可視光では見えない。
10-16m時代、1m3のダークマターは、1018個です。
10-15m時代、1m3のダークマターは、1015個です。
10-14m時代、1m3のダークマターは、1012個です。
10-13m時代、1m3のダークマターは、109個です。
10-12m時代、1m3のダークマターは、106個です。
10-11m時代、1m3のダークマターは、103個です。
10-10m時代、1m3のダークマターは、1個です。  
ダークマターは密度にむらがあるように見えるかもしれないが、実は宇宙の軌道ごとに密度は上記のようである。
10-10m時代、宇宙の素粒子数が1.077×1079個の場合、宇宙の半径は1.370×1026mで、1.370×1026m÷(9.46×1025m)＝1.448×100億光年です。
それで、10-10m時代は宇宙の端の様子です。
10-10m時代の宇宙の端の、1m3のダークマターは、1個です。
それなのに、宇宙の端の加速度(軌道エネルギー)は、増加しているとはどのような事か。
10-10m時代は100億光年時代で、1m3のダークマターは、1個です。それで、1秒間に作る磁気の光子のエネルギーは4.468×10−21Jで、引力は弱い。
【請求項２】
ダークマターの移動。
ダークマターは自転する電子のラブと自転する陽子のラブであるから、質量が有ります。
宇宙の中心のブラックホールが作る宇宙の軌道の回転により、遠心力ができ、ダークマターは遠心力により、宇宙の端の方に移動する。
宇宙の端の方に移動したダークマターは回転し、電気の光子を作る。この電気の光子は軌道エネルギーになる。
【請求項３】
宇宙の端の加速度(軌道エネルギー)は、増加しているとはどのような事か。
宇宙の軌道エネルギーは宇宙の中心のブラックホールが作る。
宇宙の軌道エネルギー＝加速度
宇宙の軌道エネルギー＝4.827×1027JKm÷軌道半径＝4.827×1027JKm÷距離、です。
1億光年の軌道エネルギー＝4.827×1027JKm÷(108×9.46×1012Km)＝5.103×106J
10億光年の軌道エネルギー＝4.827×1027JKm÷(109×9.46×1012Km)＝5.103×105J
100億光年の軌道エネルギー＝4.827×1027JKm÷(1010×9.46×1012Km)＝5.103×104J
それで、宇宙の中心のブラックホールが作る加速度は、徐々に減少します。
しかし、宇宙の端の加速度(軌道エネルギー)は、増加しているといいます。
宇宙の端の加速度(軌道エネルギー)を作っているエネルギーはダークエネルギーです。
【請求項４】
ダークエネルギーとは何か。
ダークエネルギーは宇宙の端に移動したダークマターが作る。
宇宙の端に移動したダークマターは回転し、電気の光子を作る。
宇宙の端に移動したダークマターは回転し、ダークマターが作った電気の光のエネルギーがダークエネルギーです。
【請求項５】
ダークエネルギーはどのように計算できるか。
10−10m時代、ダークマターが1秒間に作る磁気の光子のエネルギーは4.468×10−21Jです。それで、ダークマターが1秒間に作る電気の光子のエネルギーも4.468×10−21Jです。
ダークマターの軌道エネルギー＝ダークマターの数×ダークマター1個のエネルギー＝ダークマターの数×ダークマターが1秒間に作る電気の光子のエネルギー＝ダークマターの数×4.468×10−21J
【請求項６】
136億光年の軌道エネルギー。
136億光年の軌道エネルギーは、ダークマターが宇宙の端に移動する事によって、ダークマターが作る電気の光子の軌道エネルギーです。
136億光年の軌道エネルギー＝ダークマターが宇宙の端に移動し電気の光子を作る事によりできる軌道エネルギー
宇宙の中心のブラックホールが作る、宇宙の軌道エネルギー＝4.827×1027JKm÷距離＝4.827×1027JKm÷(136×108×9.46×1012Km)＝3.752×104J。
宇宙の中心のブラックホールが作る、136億光年の軌道エネルギーは3.752×104Jで、速度は、(3.752×104J)1/2=1.937×102Km、です。
ダークエネルギーはダークマターのエネルギーの73％÷23％＝3.174倍のエネルギーですから、
外側の軌道エネルギーは内側の軌道エネルギーの3.174倍の軌道エネルギーです。
内側の軌道エネルギーは、宇宙の中心のブラックホールが作る軌道エネルギーですから、3.752×104Jです。
外側の軌道エネルギーは、内側の軌道エネルギーの3.174倍の軌道エネルギーですから、3.752×104J×3.174＝1.191×105Jです。
内側の速度は、(3.752×104J)1/2＝1.937×102Km、です。
外側の速度は、(1.191×105J)1/2＝3.451×102Km、です。
内側の軌道エネルギーは、宇宙の中心のブラックホールが作る軌道エネルギーです。
外側の軌道エネルギーは、ダークマターが宇宙の端に移動し電気の光子を作る事によりできる軌道エネルギーです。
ダークマターが宇宙の端に移動し電気の光子を作る事によりできる軌道エネルギー＝1.191×105J
【請求項７】
この加速度＝ダークマターが宇宙の端に移動し電気の光子を作る事によりできる軌道エネルギーはどれだけのダークマターによりできたか。
10-10m時代、1個のダークマターのエネルギーは1秒間にダークマターが磁気の光子を作るエネルギーで、4.468×10-21Jです。
外側の軌道エネルギー＝内側の軌道エネルギーの3.174倍の軌道エネルギー＝ダークマターが宇宙の端に移動し電気の光子を作る事によりできる軌道エネルギー＝ダークマター1個のエネルギー×ダークマターの数
1.191×105J＝ダークマター1個のエネルギー×ダークマターの数
ダークマターの数＝1.191×105J÷ダークマター1個のエネルギー＝1.191×105J÷(4.468×10-21J)＝2.666×1025(個)
それで、ダークマターが宇宙の端に移動し電気の光子を作る事によりできる軌道エネルギーは1.191×105Jであり、このエネルギーは、4.468×10-21Jのダークマターが 2.666×1025個でできる。
【請求項８】
「最近の研究によると、ダークマターが宇宙成分の23％を、ダークエネルギーが約73％を占めていると推測されます」この事が意味する事は何か。
この事が意味する事は次のようです。
内側の軌道エネルギー＝宇宙の中心のブラックホールが作る軌道エネルギー＝4.827×1027JKm÷距離
外側の軌道エネルギー＝内側の軌道エネルギー×73％÷23％＝内側の軌道エネルギー×3.174＝4.827×1027JKm÷距離×3.174
宇宙の内側の軌道エネルギーは、23％であり、宇宙の外側の軌道エネルギーを作っているのは、ダークエネルギーです。そのエネルギーは、73％です。
宇宙の内側の軌道エネルギーは宇宙の中心のブラックホールがつくる。
宇宙の外側の軌道エネルギーを作っているのは宇宙の外側の軌道に移動したダークマター達です。
内側の軌道エネルギーは23％の軌道エネルギー
外側の軌道エネルギーは73％の軌道エネルギー
内側の軌道エネルギーは、宇宙の中心のブラックホールが作る軌道エネルギーです。
宇宙の軌道エネルギー＝中心のブラックホールから出発する光子1個のエネルギー×ブラックホールの表面の原子数×見かけ上に換算する定数÷軌道半径＝10−25J×4.827×1047個×105Km÷軌道半径＝4.827×1027JKｍ÷軌道半径
宇宙の中心のブラックホールが作る、宇宙の端の軌道エネルギー＝4.827×1027JKm÷距離＝4.827×1027JKm÷(136×108×9.46×1012Km)＝3.752×104J
内側の軌道エネルギーは23％の軌道エネルギーで、3.752×104Jです。
外側の軌道エネルギーは内側の軌道エネルギーの、73％÷23％＝3.174倍です。
外側の軌道エネルギーは、3.752×104J×3.174＝1.191×105J、です。
ダークマターが宇宙の端に移動し電気の光子を作る事によりできる軌道エネルギー＝1.191×105J
10-10m時代、1個のダークマターが1秒間自転して作る磁気の光子のエネルギー＝1個のダークマターが1秒間回転して作る電気の光子のエネルギー＝4.468×10−31＋10J＝4.468×10−21J
1.191×105J＝ダークマター1個のエネルギー×ダークマターの数
ダークマターの数＝1.191×105J÷ダークマター1個のエネルギー＝1.191×105J÷(4.468×10-21J)＝2.666×1025(個)
それで、ダークマターが宇宙の端に移動し電気の光子を作る事によりできる軌道エネルギーは1.191×105Jであり、このエネルギーは、4.468×10-21Jのダークマターが 2.666×1025個でできる。
この事をまとめて表に示す。
表４
2019033606.tif 000008
【請求項９】
どうして、内側の軌道エネルギーは宇宙の中心のブラックホールが作る軌道エネルギーであり、外側の軌道エネルギーはダークマターが宇宙の端に移動しできる電気の光子を作る事によってできる軌道エネルギーであるのか。
内側の軌道は宇宙の中心のブラックホールに近い。それで、宇宙の中心のブラックホールの影響を受ける。
外側の軌道は宇宙の中心のブラックホールから遠い。それで、宇宙の中心のブラックホールの影響を受難い。
1億光年の銀河から136億光年の銀河は、宇宙の中心のブラックホールから1億光年から136億光年離れている。遠く離れている軌道に存在するので、宇宙の中心のブラックホールが作る軌道エネルギーを受け難く成っている。
1億光年の銀河から136億光年の銀河は、宇宙の中心のブラックホールから1億光年から136億光年離れている。遠く離れている軌道に存在するので、軌道の中でできるダークマターが回転することによりできる電気の光子のエネルギーである、ダークエネルギーが軌道のエネルギーに成る。
【発明の詳細な説明】
【技術分野】
【０００１】
本発明は、「最近の研究によると、ダークマターが宇宙成分の23％を、ダークエネルギーが約73％を占めていると推測されます。」この事の解明。ダークエネルギーとは何か。に関するものである。
【背景技術】
【０００２】
2017年7月18日に提出した、特願2017-139505.「普通の物質(原子からなる物質)が宇宙全体の総エネルギーに占める割合は5％であり、ダークマターは27パーセントで、ダークエネルギーは68％です。この事の解明」に於いて、ダークエネルギーをブラックホールのエネルギーであると見做して、考えた。
しかし、ダークエネルギーは、宇宙の加速膨張を引き起こす、反重力源のエネルギーである。それで、ダークエネルギーはブラックホールのエネルギーではない。
それで、「最近の研究によると、ダークマターが宇宙成分の23％を、ダークエネルギーが約73％を占めていると推測されます。」この事の解明。ダークエネルギーとは何か。この事について考える。
ダークマターについては、2007年4月18日に提出した、特願2007−133467に記した。
ダークマターについては、2007年6月15日に提出した、特願2007−183718に記した。
ダークマターについては、2008年5月26日に提出した、特願2008−162553に記した。
ダークマターについては、2008年7月4日に提出した、特願2008−200203に記した。
ダークマターについては、2009年6月19日に提出した、特願2009−145952に記した。
ダークマターについては、2012年3月6日に提出した、特願2012−0４9552に記した。
「ダークマター１」については、2012年10月1日に提出した、特願2012-219904に記した。
「ダークマター2」については、2012年10月15日に提出した、特願2012-227767に記した。
「ダークマター3」については、2012年10月20日に提出した、特願2012-232448に記した。
「ダークマター4」については、2012年12月19日に提出した、特願2012-276300に記した。
「宇宙とダークマター」については、2012年12月27日に提出した、特願2012-286352に記した。
2012年12月19日に提出した、特願2012-276300. 「ダークマター4」に於いて、次のように記した。
２．    どうして加速するのか。
宇宙の原子や元素のエネルギーは、4.3％で、95.7％はダークマターのエネルギーです。
それで、速度2＝軌道エネルギー、を支配しているのは、ダークマターです。
加速する事は、軌道エネルギーが増加することです。
ダークマター1個のエネルギーは同じですから、軌道エネルギーが増加することは、ダークマター数が増加することです。
３．    どうしてダークマターは宇宙の端の軌道に移動するか。
宇宙の中心にはブラックホールが存在します。そのブラックホールを中心に宇宙は回転しています。
回転は遠心力を作ります。この遠心力によって、ダークマターは質量があるので、宇宙の端の方向に移動します。
そのことによって、ダークマターは宇宙の端の軌道に移動する。
４．    どうして、宇宙は進んでいる方向に垂直の方向へ向かって膨張(拡大)するか。
ダークマターが端の方向に移動する事によって、宇宙は進んでいる方向に垂直の方向へ向かって膨張(拡大)する。
ダークマターが端の方向に移動する事によって、“横膨張”はおきる。
５．    どうして加速すると膨張するのか。
宇宙の中心のブラックホールが宇宙を回転させることにより、遠心力が生まれる。それで、ダークマターは質量があるので、遠くの方へ移動する。このことによって2つの作用を行う。
１つは、ダークマターの増加により、軌道エネルギーが大きくなり、軌道の速度は速くなる。
１つは、ダークマターが遠心力により端の方向へ移動する事によって、宇宙は進んでいる方向に垂直の方向へ向かって膨張(拡大)する。“横膨張”は遠心力により起きる。
この2つの作用により、宇宙の端は加速し膨張する。
６．    中心にブラックホールが存在する場合、どのような場合でも、回転力と遠心力は働くので、端の加速と、横に拡大する横膨張はおきる。
中心にブラックホールが存在する場合、例えば、銀河や泡宇宙や宇宙において、回転力と遠心力は働くので、ダークマターの移動によって、端の加速と、横に拡大する“横膨張”はおきる。
７．    速度の方向と“横膨張”によって、何ができるか。
速度の方向と“横膨張”によってそのスペクトルの合成による力と方向ができる。
８．    どうして現在、宇宙は加速膨張しているのか。
10−16m時代、10−15m時代は、場の引力が大きかったので、ダークマターの移動は少なかった。
しかし、10−14m時代になると、場の引力が小さくなり、ダークマターは遠心力により、遠くに移動することができる。
このことにより、10−14m時代になり、宇宙は横に(宇宙が走っている方向に垂直の方向に)広がっている。
以下を省略
「ダークマター4」では、ダークマター1個のエネルギーを、7.96×107の自転でできる磁気の光子のエネルギーとしています。
「宇宙とダークマター」    (この考えは、2012年12月27日に提出した、特願2012−286352に記した)
１．    ダークマターが宇宙の回転速度を作る原理は何か。
宇宙の回転速度は中心のブラックホールによってできると考えてきた。
しかし、アンドロメダ銀河の回転速度はどこまでも同じ回転速度です。
この事は、回転速度は中心のブラックホールによってできるだけではなく他の何かによってもできることを示す。
私は、宇宙の回転速度は軌道のエネルギーが速度2になっていると考える。
回転速度を作っているのは、軌道のエネルギーであり、軌道の電気の光子のエネルギーである。
回転速度を作っているのは、ブラックホールが作る軌道のエネルギーであり、更にその他のものが電気の光子を作っている。
それはダークマターである。ダークマターがどうして電気の光子を作っているのか。
それは、電子のラブが自転しながら公転することにより、磁気の光子と電気の光子を作ることと同じです。
電子のラブは自転しながら公転することによって、磁気の光子と電気の光子を作る。
電子のラブは自転し、磁気の光子を作り、公転し、電気の光子を作る。
電子のラブに成れなかったダークマターの実態は自転だけしている電子のラブである。
陽子のラブに成れなかったダークマターの実態は自転だけしている陽子のラブである。
それで、公転の代わりに回転すると、そこに生まれるのは、電気の光子です。
ダークマターはブラックホールが作る回転軌道を走る。
ダークマターは自転しながら走るので、電気の光子を作る。
ダークマターが作る電気の光子が軌道のエネルギーになり、回転速度2を作る。
これが、ダークマターが回転速度を作る原理です。
２．    宇宙の球体の軌道エネルギーはどのような式であるか。
宇宙のエネルギーの95.7％はダークマターのエネルギーであるから、宇宙の軌道のエネルギーはダークマターのエネルギーです。
私は、宇宙の球体の軌道のエネルギーを次のように考えていた。
宇宙の球体の軌道のエネルギー＝軌道のダークマターの数×1個のダークマターが7.96×107自転で作る光子のエネルギー＝軌道のダークマターの数×(8.857×10−41J×7.96×107自転)＝軌道のダークマターの数×7.050×10−33J、と考えてきた。
しかし、このエネルギーは磁気の光子のエネルギーであり、電気の光子のエネルギーではない。
宇宙の球体の軌道エネルギーはダークマターが、中心のブラックホールが作った軌道を回転することによってできる。
宇宙の球体の軌道エネルギー＝軌道のダークマターの数×1個のダークマターのエネルギー
宇宙の球体の軌道エネルギーの式は、宇宙の球体の軌道エネルギー＝軌道のダークマターの数×1個のダークマターのエネルギー、です。
３．    各軌道の1個のダークマターのエネルギーはいくらか。
私は10月20日に提出した「ダークマター３」において、宇宙の時代における1個のダークマターが1秒間に作るエネルギーについて記した。
1個のダークマターが1秒間に作る磁気の光子のエネルギー＝4.468×10−31−aJです。このエネルギーを1個のダークマターのエネルギーとします。
各軌道の1個のダークマターのエネルギーは4.468×10−31−aJです。
10−10mの場の1個のダークマターのエネルギーは4.468×10−31−aJ＝4.468×10−31−−10J=4.468×10−21J、です。
10−11mの場の1個のダークマターのエネルギーは4.468×10−31−aJ＝4.468×10−31−−11J=4.468×10−20J、です。
10−12mの場の1個のダークマターのエネルギーは4.468×10−31−aJ＝4.468×10−31−−12J=4.468×10−19J、です。
10−13mの場の1個のダークマターのエネルギーは4.468×10−31−aJ＝4.468×10−31−−13J=4.468×10−18J、です。
10−14mの場の1個のダークマターのエネルギーは4.468×10−31−aJ＝4.468×10−31−−14J=4.468×10−17J、です。
４．    地球の半径軌道と原子数はどのようであるか。
地球の中心に成ればなる程、場のエネルギーは高く原子の軌道は小さくなるから、半径のどの軌道においても存在する原子数は同じです。
半径にｒ個の原子が存在する。
地球の体積の原子数＝地球の体積の原子数
4π÷3×ｒ3＝1.2×1057個
ｒ３＝1.2×1057個×3÷4π＝2.866×1056個＝288.6×1054
ｒ＝6．609×1018個
地球の赤道半径は、6378Kmです。
・半径軌道１000Kmに存在する原子数はいくらか。
半径軌道の原子数÷6.378＝6．609×1018個÷6.378＝1.036×1018個
半径軌道１000Kmに存在する原子数は1.036×1018個です。
５．    球体の宇宙の半径にはどれ位のダークマターが存在するか。球体の宇宙の半径軌道107光年にはいくらのダークマターが存在するか。
球体の宇宙の半径にｒ個のダークマターが存在するとする。
球体の宇宙の体積のダークマター数＝全体の総ダークマター数
4÷3×πr3＝1.077×1079個
ｒ3＝1.077×1079個÷(4÷3×π)＝2.572×1078個
r＝1.370×1026個
球体の宇宙の半径には1.370×1026個のダークマターが存在する。
・球体の宇宙の半径軌道107光年にはいくらのダークマターが存在するか。
球体の宇宙の半径には1.370×1026個のダークマターが存在する。
球体の宇宙の半径を5×107光年とする。
107光年には、1.370×1026個÷5＝2.740×1025、個のダークマターが存在する。
球体の宇宙の半径軌道107光年には2.740×1025個のダークマターが存在する。
６．    宇宙の軌道の速度を全て、宇宙の軌道エネルギーの式で計算した、107光年の軌道エネルギーとし、速度2とする場合、1個のダークマターのエネルギーとこのダークマターが存在する場の電子のラブの公転軌道はいくらか。宇宙の軌道エネルギーの式で計算する、107光年の軌道エネルギーはいくらか。
・宇宙の軌道エネルギーの式で計算する、107光年の軌道エネルギーはいくらか。
宇宙の各軌道の軌道エネルギー＝4.827×1027JKm÷軌道半径＝4.827×1027JKm÷(107×9.64×1012Km)＝5.103×10７J
速度2＝5.103×10７Kmです。
【先行技術文献】
【特許文献】
【０００３】
【特許文献１】特願2007−133467
【特許文献１】特願2007−183718
【特許文献１】特願2008−162553
【特許文献１】特願2008−200203
【特許文献１】特願2009−145952
【特許文献１】特願2012-219904
【特許文献１】特願2012-227767
【特許文献１】特願2012-232448
【特許文献１】特願2012-276300
【特許文献１】特願2012-286352
【発明の概要】
【発明が解決しようとする課題】
【０００４】
１．    宇宙のダークマターの様子。
２．    ダークマターの移動。
３．    宇宙の端の加速度(軌道エネルギー)は、増加しているとはどのような事か。
４．    ダークエネルギーとは何か。
５．    ダークエネルギーはどのように計算できるか。
６．    136億光年の軌道エネルギー。
７．    この加速度＝ダークマターが宇宙の端に移動し電気の光子を作る事によりできる軌道エネルギーはどれだけのダークマターによりできたか。
８．    最近の研究によると、ダークマターが宇宙成分の23％を、ダークエネルギーが約73％を占めていると推測されます。この事が意味する事は何か。
９．    どうして、内側の軌道エネルギーは宇宙の中心のブラックホールが作る軌道エネルギーであり、外側の軌道エネルギーはダークマターが宇宙の端に移動しできる電気の光子を作る事によってできる軌道エネルギーであるのか。
【課題を解決するための手段】
【０００５】
1．宇宙のダークマターの様子は2012年10月15日に提出した、特願2012-227767．「ダークマター２」の表3に記した。
2．宇宙の中心のブラックホールが作る宇宙の軌道の回転により、遠心力ができ、ダークマターは遠心力により、宇宙の端の方に移動する。
3．それで、宇宙の中心のブラックホールが作る加速度は、徐々に減少します。
4．宇宙の端に移動したダークマターは回転し、電気の光子を作る。
5．10−10m時代、ダークマターが1秒間に作る磁気の光子のエネルギーは4.468×10−21Jです。それで、ダークマターが1秒間に作る電気の光子のエネルギーも4.468×10−21Jです。
6．宇宙の中心のブラックホールが作る、宇宙の軌道エネルギー＝4.827×1027JKm÷距離＝4.827×1027JKm÷(136×108×9.46×1012Km)＝3.752×104J。
ダークエネルギーはダークマターのエネルギーの73％÷23％＝3.174倍のエネルギーですから、
外側の軌道エネルギーは、内側の軌道エネルギーの3.174倍の軌道エネルギーですから、3.752×104J×3.174＝1.191×105Jです。
7．外側の軌道エネルギー＝内側の軌道エネルギーの3.174倍の軌道エネルギー＝ダークマターが宇宙の端に移動し電気の光子を作る事によりできる軌道エネルギー＝ダークマター1個のエネルギー×ダークマターの数
1.191×105J＝ダークマター1個のエネルギー×ダークマターの数
8．内側の軌道エネルギー＝宇宙の中心のブラックホールが作る軌道エネルギー＝4.827×1027JKm÷距離
外側の軌道エネルギー＝内側の軌道エネルギー×73％÷23％＝内側の軌道エネルギー×3.174＝4.827×1027JKm÷距離×3.174
9．1．内側の軌道は宇宙の中心のブラックホールに近い。それで、宇宙の中心のブラックホールの影響を受ける。
外側の軌道は宇宙の中心のブラックホールから遠い。それで、宇宙の中心のブラックホールの影響を受難い。
【発明の効果】
【０００６】
1．表に示す。
2．宇宙の端の方に移動したダークマターは回転し、電気の光子を作る。この電気の光子は軌道エネルギーになる。
3．しかし、宇宙の端の加速度(軌道エネルギー)は、増加しているといいます。
宇宙の端の加速度(軌道エネルギー)を作っているエネルギーはダークエネルギーです。
4．宇宙の端に移動したダークマターは回転し、ダークマターが作った電気の光のエネルギーがダークエネルギーです。
5．ダークマターの軌道エネルギー＝ダークマターの数×ダークマター1個のエネルギー＝ダークマターの数×ダークマターが1秒間に作る電気の光子のエネルギー＝ダークマターの数×4.468×10−21J
6．内側の軌道エネルギーは、宇宙の中心のブラックホールが作る軌道エネルギーです。
外側の軌道エネルギーは、ダークマターが宇宙の端に移動し電気の光子を作る事によりできる軌道エネルギーです。
ダークマターが宇宙の端に移動し電気の光子を作る事によりできる軌道エネルギー＝1.191×105J
7．ダークマターの数＝1.191×105J÷ダークマター1個のエネルギー＝1.191×105J÷(4.468×10-21J)＝2.666×1025(個)
8．1.191×105J＝ダークマター1個のエネルギー×ダークマターの数
ダークマターの数＝1.191×105J÷ダークマター1個のエネルギー＝1.191×105J÷(4.468×10-21J)＝2.666×1025(個)
9．遠く離れている軌道に存在するので、軌道の中でできるダークマターが回転することによりできる電気の光子のエネルギーである、ダークエネルギーが軌道のエネルギーに成る。
【図面の簡単な説明】
【０００７】
【図１】図１は宇宙の内側の軌道エネルギーと外側の軌道エネルギーを図示する。内側の軌道エネルギー＝宇宙の中心のブラックホールが作る軌道エネルギー＝4.827×1027JKm÷距離外側の軌道エネルギー＝内側の軌道エネルギー×73％÷23％＝内側の軌道エネルギー×3.174＝4.827×1027JKm÷距離×3.174宇宙の内側の軌道エネルギーは、23％であり、宇宙の外側の軌道エネルギーを作っているのは、ダークエネルギーです。そのエネルギーは、73％です。宇宙の内側の軌道エネルギーは宇宙の中心のブラックホールがつくる。宇宙の外側の軌道エネルギーを作っているのは宇宙の外側に移動したダークマター達です。内側の軌道エネルギーは23％の軌道エネルギー外側の軌道エネルギーは73％の軌道エネルギー内側の軌道エネルギーは、宇宙の中心のブラックホールが作る軌道エネルギーです。宇宙の軌道エネルギー＝中心のブラックホールから出発する光子1個のエネルギー×ブラックホールの表面の原子数×見かけ上に換算する定数÷軌道半径＝10−25J×4.827×1047個×105Km÷軌道半径＝4.827×1027JKｍ÷軌道半径宇宙の中心のブラックホールが作る、宇宙の端の軌道エネルギー＝4.827×1027JKm÷距離＝4.827×1027JKm÷(136×108×9.46×1012Km)＝3.752×104J内側の軌道エネルギーは23％の軌道エネルギーで、3.752×104Jです。外側の軌道エネルギーは内側の軌道エネルギーの、73％÷23％＝3.174倍です。外側の軌道エネルギーは、3.752×104J×3.174＝1.191×105J、です。ダークマターが宇宙の端に移動し電気の光子を作る事によりできる軌道エネルギー＝1.191×105J10-10m時代、1個のダークマターが1秒間自転して作る磁気の光子のエネルギー＝1個のダークマターが1秒間回転して作る電気の光子のエネルギー＝4.468×10−31＋10J＝4.468×10−21J1.191×105J＝ダークマター1個のエネルギー×ダークマターの数ダークマターの数＝1.191×105J÷ダークマター1個のエネルギー＝1.191×105J÷(4.468×10-21J)＝2.666×1025(個)それで、ダークマターが宇宙の端に移動し電気の光子を作る事によりできる軌道エネルギーは1.191×105Jであり、このエネルギーは、4.468×10-21Jのダークマターが 2.666×1025個でできる。
【発明を実施するための形態】
【０００８】
１．    宇宙のダークマターの様子。
宇宙のダークマターの様子は2012年10月15日に提出した、特願2012-227767．「ダークマター２」の表3に記した。
宇宙のダークマターの様子の推移を表に示す。この表は2012年10月15日に提出した、特願2012-227767．「ダークマター２」の表3に記した。
表1
2019033606.tif 000003
2019033606.tif 000004
10-16m時代はブラックホールの時代であり、この以前の様子は可視光では見えない。
10-16m時代、1m3のダークマターは、1018個です。
10-15m時代、1m3のダークマターは、1015個です。
10-14m時代、1m3のダークマターは、1012個です。
10-13m時代、1m3のダークマターは、109個です。
10-12m時代、1m3のダークマターは、106個です。
10-11m時代、1m3のダークマターは、103個です。
10-10m時代、1m3のダークマターは、1個です。  
ダークマターは密度にむらがあるように見えるかもしれないが、実は宇宙の軌道ごとに密度は上記のようである。
10-10m時代、宇宙の素粒子数が1.077×1079個の場合、宇宙の半径は1.370×1026mで、1.370×1026m÷(9.46×1025m)＝1.448×100億光年です。
それで、10-10m時代は宇宙の端の様子です。
10-10m時代の宇宙の端の、1m3のダークマターは、1個です。
それなのに、宇宙の端の加速度(軌道エネルギー)は、増加しているとはどのような事か。
10-10m時代は100億光年時代で、1m3のダークマターは、1個です。それで、1秒間に作る磁気の光子のエネルギーは4.468×10−21Jで、引力は弱い。
２．    ダークマターの移動。
ダークマターは自転する電子のラブと自転する陽子のラブであるから、質量が有ります。
宇宙の中心のブラックホールが作る宇宙の軌道の回転により、遠心力ができ、ダークマターは遠心力により、宇宙の端の方に移動する。
宇宙の端の方に移動したダークマターは回転し、電気の光子を作る。この電気の光子は軌道エネルギーになる。
３．    宇宙の端の加速度(軌道エネルギー)は、増加しているとはどのような事か。
宇宙の軌道エネルギーは宇宙の中心のブラックホールが作る。
宇宙の軌道エネルギー＝加速度
宇宙の軌道エネルギー＝4.827×1027JKm÷軌道半径＝4.827×1027JKm÷距離、です。
1億光年の軌道エネルギー＝4.827×1027JKm÷(108×9.46×1012Km)＝5.103×106J
10億光年の軌道エネルギー＝4.827×1027JKm÷(109×9.46×1012Km)＝5.103×105J
100億光年の軌道エネルギー＝4.827×1027JKm÷(1010×9.46×1012Km)＝5.103×104J
それで、宇宙の中心のブラックホールが作る加速度は、徐々に減少します。
しかし、宇宙の端の加速度(軌道エネルギー)は、増加しているといいます。
宇宙の端の加速度(軌道エネルギー)を作っているエネルギーはダークエネルギーです。
４．    ダークエネルギーとは何か。
ダークエネルギーは宇宙の端に移動したダークマターが作る。
宇宙の端に移動したダークマターは回転し、電気の光子を作る。
宇宙の端に移動したダークマターは回転し、ダークマターが作った電気の光のエネルギーがダークエネルギーです。
５．    ダークエネルギーはどのように計算できるか。
10−10m時代、ダークマターが1秒間に作る磁気の光子のエネルギーは4.468×10−21Jです。それで、ダークマターが1秒間に作る電気の光子のエネルギーも4.468×10−21Jです。
ダークマターの軌道エネルギー＝ダークマターの数×ダークマター1個のエネルギー＝ダークマターの数×ダークマターが1秒間に作る電気の光子のエネルギー＝ダークマターの数×4.468×10−21J
６．    136億光年の軌道エネルギー。
136億光年の軌道エネルギーは、ダークマターが宇宙の端に移動する事によって、ダークマターが作る電気の光子の軌道エネルギーです。
136億光年の軌道エネルギー＝ダークマターが宇宙の端に移動し電気の光子を作る事によりできる軌道エネルギー
宇宙の中心のブラックホールが作る、宇宙の軌道エネルギー＝4.827×1027JKm÷距離＝4.827×1027JKm÷(136×108×9.46×1012Km)＝3.752×104J。
宇宙の中心のブラックホールが作る、136億光年の軌道エネルギーは3.752×104Jで、速度は、(3.752×104J)1/2=1.937×102Km、です。
ダークエネルギーはダークマターのエネルギーの73％÷23％＝3.174倍のエネルギーですから、
外側の軌道エネルギーは内側の軌道エネルギーの3.174倍の軌道エネルギーです。
内側の軌道エネルギーは、宇宙の中心のブラックホールが作る軌道エネルギーですから、3.752×104Jです。
外側の軌道エネルギーは、内側の軌道エネルギーの3.174倍の軌道エネルギーですから、3.752×104J×3.174＝1.191×105Jです。
内側の速度は、(3.752×104J)1/2＝1.937×102Km、です。
外側の速度は、(1.191×105J)1/2＝3.451×102Km、です。
内側の軌道エネルギーは、宇宙の中心のブラックホールが作る軌道エネルギーです。
外側の軌道エネルギーは、ダークマターが宇宙の端に移動し電気の光子を作る事によりできる軌道エネルギーです。
ダークマターが宇宙の端に移動し電気の光子を作る事によりできる軌道エネルギー＝1.191×105J
７．    この加速度＝ダークマターが宇宙の端に移動し電気の光子を作る事によりできる軌道エネルギーはどれだけのダークマターによりできたか。
10-10m時代、1個のダークマターのエネルギーは1秒間にダークマターが磁気の光子を作るエネルギーで、4.468×10-21Jです。
外側の軌道エネルギー＝内側の軌道エネルギーの3.174倍の軌道エネルギー＝ダークマターが宇宙の端に移動し電気の光子を作る事によりできる軌道エネルギー＝ダークマター1個のエネルギー×ダークマターの数
1.191×105J＝ダークマター1個のエネルギー×ダークマターの数
ダークマターの数＝1.191×105J÷ダークマター1個のエネルギー＝1.191×105J÷(4.468×10-21J)＝2.666×1025(個)
それで、ダークマターが宇宙の端に移動し電気の光子を作る事によりできる軌道エネルギーは1.191×105Jであり、このエネルギーは、4.468×10-21Jのダークマターが 2.666×1025個でできる。
８．    「最近の研究によると、ダークマターが宇宙成分の23％を、ダークエネルギーが約73％を占めていると推測されます」この事が意味する事は何か。
この事が意味する事は次のようです。
内側の軌道エネルギー＝宇宙の中心のブラックホールが作る軌道エネルギー＝4.827×1027JKm÷距離
外側の軌道エネルギー＝内側の軌道エネルギー×73％÷23％＝内側の軌道エネルギー×3.174＝4.827×1027JKm÷距離×3.174
宇宙の内側の軌道エネルギーは、23％であり、宇宙の外側の軌道エネルギーを作っているのは、ダークエネルギーです。そのエネルギーは、73％です。
宇宙の内側の軌道エネルギーは宇宙の中心のブラックホールがつくる。
宇宙の外側の軌道エネルギーを作っているのは宇宙の外側の軌道に移動したダークマター達です。
内側の軌道エネルギーは23％の軌道エネルギー
外側の軌道エネルギーは73％の軌道エネルギー
内側の軌道エネルギーは、宇宙の中心のブラックホールが作る軌道エネルギーです。
宇宙の軌道エネルギー＝中心のブラックホールから出発する光子1個のエネルギー×ブラックホールの表面の原子数×見かけ上に換算する定数÷軌道半径＝10−25J×4.827×1047個×105Km÷軌道半径＝4.827×1027JKｍ÷軌道半径
宇宙の中心のブラックホールが作る、宇宙の端の軌道エネルギー＝4.827×1027JKm÷距離＝4.827×1027JKm÷(136×108×9.46×1012Km)＝3.752×104J
内側の軌道エネルギーは23％の軌道エネルギーで、3.752×104Jです。
外側の軌道エネルギーは内側の軌道エネルギーの、73％÷23％＝3.174倍です。
外側の軌道エネルギーは、3.752×104J×3.174＝1.191×105J、です。
ダークマターが宇宙の端に移動し電気の光子を作る事によりできる軌道エネルギー＝1.191×105J
10-10m時代、1個のダークマターが1秒間自転して作る磁気の光子のエネルギー＝1個のダークマターが1秒間回転して作る電気の光子のエネルギー＝4.468×10−31＋10J＝4.468×10−21J
1.191×105J＝ダークマター1個のエネルギー×ダークマターの数
ダークマターの数＝1.191×105J÷ダークマター1個のエネルギー＝1.191×105J÷(4.468×10-21J)＝2.666×1025(個)
それで、ダークマターが宇宙の端に移動し電気の光子を作る事によりできる軌道エネルギーは1.191×105Jであり、このエネルギーは、4.468×10-21Jのダークマターが 2.666×1025個でできる。
この事をまとめて表に示す。
表２
2019033606.tif 000005
９．    どうして、内側の軌道エネルギーは宇宙の中心のブラックホールが作る軌道エネルギーであり、外側の軌道エネルギーはダークマターが宇宙の端に移動しできる電気の光子を作る事によってできる軌道エネルギーであるのか。
内側の軌道は宇宙の中心のブラックホールに近い。それで、宇宙の中心のブラックホールの影響を受ける。
外側の軌道は宇宙の中心のブラックホールから遠い。それで、宇宙の中心のブラックホールの影響を受難い。
1億光年の銀河から136億光年の銀河は、宇宙の中心のブラックホールから1億光年から136億光年離れている。遠く離れている軌道に存在するので、宇宙の中心のブラックホールが作る軌道エネルギーを受け難く成っている。
1億光年の銀河から136億光年の銀河は、宇宙の中心のブラックホールから1億光年から136億光年離れている。遠く離れている軌道に存在するので、軌道の中でできるダークマターが回転することによりできる電気の光子のエネルギーである、ダークエネルギーが軌道のエネルギーに成る。
【産業上の利用可能性】
【０００９】
素粒子を理解することは、産業の向上に役立つ。
【符号の説明】
【００１０】
１    宇宙の中心のブラックホール
２    宇宙の中心のブラックホールが作る、宇宙の軌道エネルギー＝4.827×1027JKm÷距離＝4.827×1027JKm÷(136×108×9.46×1012Km)＝3.752×104J
３    宇宙の内側は23％の軌道エネルギー
４    外側の軌道エネルギーは73％の軌道エネルギー
５    外側の軌道エネルギーは、3.752×104J×73％÷23％＝1.191×105J
６    ダークマターは外側へ移動する
７    ダークマターは回転し、1秒間に4.468×10-21Jの電気の光子を作る
８    ダークマターの数＝1.191×105J÷ダークマター1個のエネルギー＝1.191×105J÷(4.468×10-21J)＝2.666×1025(個)
【図１】
2019033606.tif 000009